(57)【特許請求の範囲】
【請求項１】
外部機器が接続されるインターフェース部と、
前記インターフェース部に接続され、インターフェース部への信号の入力又は出力に際して所定の制御を行う制御部と、
前記インターフェース部と前記制御部とを内蔵する筐体と、
前記筐体に取り付けられて、前記インターフェース部を外部に露出しないように被覆するキャップと、
前記インターフェース部を構成する一部であって、前記外部機器が接続されたときに所定電位に接続される信号検出線と、
前記インターフェース部に前記キャップが取り付けられたときに前記信号検出線を前記所定電位に電気的に接続されるように切り替え、前記インターフェース部から前記キャップが取り外されたときに前記信号検出線を前記所定電位から電気的に切り離すように切り替えるスイッチと、
所定の情報を報知する報知部と、を備え、
前記制御部は、前記信号検出線が前記所定電位に対して電気的に接続されているか否かを判定し、前記信号検出線が前記所定電位に対して電気的に切り離されたことを確認したときに防水機能が低下する旨を前記報知部にて報知するように制御することを特徴とする携帯電子機器。
【請求項２】
前記制御部は、前記信号検出線の論理状態の変更を検出したときに、当該信号検出線が前記所定電位に対して電気的に接続されているか否かを判定することを特徴とする請求項１記載の携帯電子機器。
【請求項３】
前記インターフェース部は、前記外部機器に接続される通信用のコネクタであって、
前記制御部は、前記信号検出線の論理状態が前記所定電位に対して電気的に接続されていない状態であると判定したときに、前記インターフェース部を構成する一部である前記外部機器に信号を送信する信号線に所定の信号を出力し、当該所定の信号に対する応答が検出されたときに、前記インターフェース部に前記外部機器が接続されていることを判定し、当該所定の信号に対する応答が検出されないときに、前記インターフェース部に前記外部機器が接続されておらず、かつ前記キャップが前記インターフェース部に取り付けられていない状態であると判定することを特徴とする請求項１又は２に記載の携帯電子機器。
【請求項４】
前記インターフェース部は、イヤホンが接続されるステレオ音声出力及びモノラル音声出力の両方に対応するイヤホンジャックであって、
前記制御部は、前記信号検出線の論理状態が前記所定電位に対して電気的に接続されていない状態である判定したときに、前記インターフェース部を構成する一部であるステレオ検出線が開放状態か否かを判定し、当該ステレオ検出線が開放状態ではないと判定した場合には、前記インターフェース部に前記イヤホンが接続されたと判定し、当該ステレオ検出線が開放状態であると判定した場合には、前記インターフェース部に前記イヤホンが接続されておらず、かつ前記キャップが前記インターフェース部に取り付けられていない状態であると判定することを特徴とする請求項１又は２に記載の携帯電子機器。
【請求項５】
前記筐体は、前記インターフェース部が配される開口部を有し、
前記開口部の周縁であって前記キャップにより被覆可能な位置に、前記所定電位に保持される端子が取り付けられ、
前記キャップの内側には、前記筐体への取り付け部を介して前記信号検出線に接続される導体が配されており、
前記導体は、前記キャップが取り付けられたときに前記端子に当接し電気的に導通する構成であって、前記スイッチの一部を構成することを特徴とする請求項１から４のいずれか一項に記載の携帯電子機器。
【発明の詳細な説明】
【技術分野】
【０００１】
本発明は、防水機能の低下を通知する携帯電子機器に関する。
【背景技術】
【０００２】
携帯電子機器は、屋内及び屋外において持ち運びが自在であるため、誤動作や故障を回避するために、防水機能を持たせる構成であることが好ましい。
【０００３】
ここで、携帯電子機器は、各種のケーブル（例えば、イヤホンケーブル等）を収納するためのキャップや蓋を有しており、これらのキャップや蓋が開いた状態では防水性を図ることが困難となる。
【０００４】
そこで、このような課題を解消するために、蓋等の開閉部に蓋の開閉を検出するための検出スイッチを配設し、防水性の低下を検出する技術が提案されている（例えば、特許文献１を参照。）。
【特許文献１】特開平８−１５３９７７号公報
【発明の開示】
【発明が解決しようとする課題】
【０００５】
ところで、現在、携帯電子機器では、デザイン性等の観点から、小型化及び薄型化が要求されており、特許文献１により提案されている技術のように、単に検出スイッチを付加するだけの構成では、このような要求に応えることが困難である。
【０００６】
本発明は、上述のような課題に鑑みてなされたものであり、その目的の一つは、小型化及び薄型化の要求に応え、簡易な構成により、キャップや蓋の開閉状態を検出し、防水機能の低下を回避することができる携帯電子機器を提供することである。
【課題を解決するための手段】
【０００７】
本発明に係る携帯電子機器は、上記課題を解決するために、外部機器が接続されるインターフェース部と、前記インターフェース部に接続され、インターフェース部への信号の入力又は出力に際して所定の制御を行う制御部と、前記インターフェース部と前記制御部とを内蔵する筐体と、前記筐体に取り付けられて、前記インターフェース部を外部に露出しないように被覆するキャップと、前記インターフェース部を構成する一部であって、前記外部機器が接続されたときに所定電位に接続される信号検出線と、前記インターフェース部に前記キャップが取り付けられたときに前記信号検出線を前記所定電位に電気的に接続されるように切り替え、前記インターフェース部から前記キャップが取り外されたときに前記信号検出線を前記所定電位から電気的に切り離すように切り替えるスイッチと、所定の情報を報知する報知部と、を備え、前記制御部は、前記信号検出線が前記所定電位に対して電気的に接続されているか否かを判定し、前記信号検出線が前記所定電位に対して電気的に接続されていることを確認したときに防水機能が低下する旨を前記報知部にて報知するように制御することを特徴とする。
【０００８】
また、前記携帯電子機器では、前記制御部は、前記信号検出線の論理状態の変更を検出したときに、当該信号検出線が前記所定電位に対して電気的に接続されているか否かを判定する構成であることが好ましい。
【０００９】
また、前記携帯電子機器では、前記インターフェース部は、前記外部機器に接続される通信用のコネクタであって、前記制御部は、前記信号検出線の論理状態が前記所定電位に対して電気的に接続される状態になったと判定したときに、前記インターフェース部を構成する一部である前記外部機器に信号を送信する信号線に所定の信号を出力し、当該所定の信号に対する応答が検出されたときに、前記インターフェース部に前記外部機器が接続されていることを判定し、当該所定の信号に対する応答が検出されないときに、前記インターフェース部に前記外部機器が接続されておらず、かつ前記キャップが前記インターフェース部に取り付けられていない状態であると判定する構成であることが好ましい。
【００１０】
また、前記携帯電子機器では、前記インターフェース部は、イヤホンが接続されるステレオ音声出力及びモノラル音声出力の両方に対応するイヤホンジャックであって、前記制御部は、前記信号検出線の論理状態が前記所定電位に対して電気的に接続される状態になったと判定したときに、前記インターフェース部を構成する一部であるステレオ検出線が開放状態か否かを判定し、当該ステレオ検出線が開放状態ではないと判定した場合には、前記インターフェース部に前記イヤホンが接続されたと判定し、当該ステレオ検出線が開放状態であると判定した場合には、前記インターフェース部に前記イヤホンが接続されておらず、かつ前記キャップが前記インターフェース部に取り付けられていない状態であると判定する構成であることが好ましい。
【００１１】
また、前記携帯電子機器では、前記筐体は、前記インターフェース部が配される開口部を有し、前記開口部の周縁であって前記キャップにより被覆可能な位置に、前記所定電位に保持される端子が取り付けられ、前記キャップの内側には、前記筐体への取り付け部を介して前記信号検出線に接続される導体が配されており、前記導体は、前記キャップが取り付けられたときに前記端子に当接し電気的に導通する構成であって、前記スイッチの一部を構成することが好ましい。
【発明の効果】
【００１２】
本発明によれば、簡易な構成により、キャップや蓋の開閉状態を検出し、防水機能の低下を回避することができる。
【発明を実施するための最良の形態】
【００１３】
図１は、本発明に係る外部機器（基地局）と通信を行う携帯電子機器の一例である携帯電話装置１の外観斜視図を示す。
【００１４】
携帯電話装置１は、表面がフロントケース２ａとリアケース２ｂにより構成される操作部側筐体部２と、表面がフロントパネル３ａとリアパネル３ｂにより構成される表示部側筐体部３と、を備えて構成される。操作部側筐体部２は、フロントケース２ａ表面に、操作キー群１１と、携帯電話装置１の使用者が通話時に発した音声が入力される音声入力部１２とが露出するように構成される。また、操作キー群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。また、操作部側筐体部２の側面には、イヤホン１００が接続されるイヤホンインターフェース部３０が外部に露出しないように覆うイヤホンキャップ１６と、外部機器（例えば、ホスト装置）と通信を行うためのインターフェース部３１が外部に露出しないように覆うキャップ１７が設けられている。また、携帯電話装置１では、イヤホンキャップ１６とキャップ１７が取り付けられた状態においては、防水性が担保できる構成になっている。
【００１５】
イヤホンインターフェース部３０は、イヤホン１００が接続されたときに所定電位に接続される信号検出線２０ａを有している。
【００１６】
また、インターフェース部３１は、外部機器と通信を行うためのケーブルが接続されたときに所定電位に接続される信号検出線２１ａを有している。
【００１７】
また、表示部側筐体部３は、フロントパネル３ａに、各種情報を表示するためのディスプレイ２１と、通話の相手側の音声を出力する音声出力部２２とが露出するように構成される。
【００１８】
また、操作部側筐体部２の上端部と表示部側筐体部３の下端部とは、図１に示すように、ヒンジ機構４を介して連結されている。また、携帯電話装置１は、ヒンジ機構４を介して連結された操作部側筐体部２と表示部側筐体部３とを相対的に動かすことにより、操作部側筐体部２と表示部側筐体部３とが互いに開いた状態（開放状態）にしたり、操作部側筐体部２と表示部側筐体部３とが折り畳まれた状態（折畳み状態）にしたりできる。なお、本実施形態において、ヒンジ機構４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式や、両筐体２、３を２軸ヒンジを介して連結したもの、更には、操作部側筐体部２と表示部側筐体部３とが一つの筐体に配置されたもの（いわゆる、ストレートタイプ）でも良い。
【００１９】
また、携帯電話装置１の機能について図２に示す機能ブロック図を用いて説明する。携帯電話装置１は、図２に示すように、操作キー群１１と、ディスプレイ２１（報知部）と、イヤホンキャップ１６の開閉状態を検出するイヤホンキャップ開閉スイッチ４１と、キャップ１７の開閉状態を検出するキャップ開閉スイッチ４２と、アンテナ４３を有し、外部機器と通話やメール等の通信を行う通信部４４と、所定の情報を記憶する記憶部４５と、各部を制御する制御部４６と、を備えている。
【００２０】
また、イヤホンキャップ開閉スイッチ４１は、イヤホンインターフェース部３０にイヤホンキャップ１６が取り付けられたときに信号検出線２０ａを所定電位（ＧＮＤ）に電気的に接続されるように切り替え、また、イヤホンインターフェース部３０からイヤホンキャップ１６が取り外されたときに信号検出線２０ａを所定電位（ＧＮＤ）から電気的に切り離すように切り替える。
【００２１】
また、キャップ開閉スイッチ４２は、インターフェース部３１にキャップ１７が取り付けられたときに信号検出線２１ａを所定電位（ＧＮＤ）に電気的に接続されるように切り替え、また、インターフェース部３１からキャップ１７が取り外されたときに信号検出線２１ａを所定電位（ＧＮＤ）から電気的に切り離すように切り替える。
【００２２】
また、制御部４６は、イヤホンインターフェース部３０やインターフェース部３１に接続され、イヤホンインターフェース部３０やインターフェース部３１への信号の入力又は出力に際して所定の制御を行う。
【００２３】
また、制御部４６は、信号検出線２０ａ、２１ａが所定電位（ＧＮＤ）に対して電気的に接続されているか否かを判定し、信号検出線２０ａ、２１ａが所定電位（ＧＮＤ）に対して電気的に接続されていないことを確認したときに、防水機能が低下する旨をディスプレイ２１にて報知するように制御する。
【００２４】
また、制御部４６は、例えば、信号検出線２０ａ、２１ａの論理状態（Ｈｉｇｈ又はＬｏｗ）の変更を検出したときに、当該信号検出線２０ａ、２１ａが所定電位（ＧＮＤ）に対して電気的に接続されているか否かを判定する。なお、イヤホンキャップ１６やキャップ１７が取り付けられている状態は、負論理状態（Ｌｏｗ）であり、イヤホンキャップ１６やキャップ１７が取り外されている状態は、正論理状態（Ｈｉｇｈ）である。
【００２５】
具体的には、制御部４６は、イヤホンキャップ１６やキャップ１７が半開き状態や全開状態等になった場合に、論理状態が変更され、割り込み信号が供給される。制御部４６は、当該割り込み信号を検出することにより信号検出線２０ａ、２１ａが所定電位（ＧＮＤ）に対して電気的に接続されたことを検出、すなわちイヤホンキャップ１６やキャップ１７の開状態となったことを検出する。
【００２６】
＜イヤホンキャップ１６の開閉状態に応じた防水警告表示方法＞
ここで、本発明に係る携帯電話装置１によりイヤホンキャップ１６の開閉状態に応じた防水警告表示方法について説明する。なお、イヤホンインターフェース部３０は、ステレオ音声出力及びモノラル音声出力の両方に対応するイヤホンジャックである。
【００２７】
また、図３は、イヤホンキャップ１６がイヤホンインターフェース部３０を覆っている状態を示す図であり、図４は、イヤホンキャップ１６がイヤホンインターフェース部３０から取り外されている状態を示す図であり、図５は、イヤホンインターフェース部３０にイヤホン１００が接続されている状態を示す図である。なお、図３乃至図５においては、抵抗Ｒ１＞抵抗Ｒ２、抵抗Ｒ１＞抵抗Ｒ３となるように抵抗Ｒ１、抵抗Ｒ２、抵抗Ｒ３が配置されている。
【００２８】
また、図３に示すように、イヤホンキャップ１６が取り付けられている状態においては、制御部４６は、抵抗Ｒ１＞抵抗Ｒ２の関係から、信号検出線２０ａから得られるイヤホン検出信号Ｓ１を負論理状態（Ｌｏｗ）で検出し、また、ステレオ検出線２０ｂは絶縁状態になっているため、ステレオ検出信号Ｓ２又はスイッチ検出信号Ｓ３を検出できない。なお、イヤホン検出信号Ｓ１は、イヤホン１００が接続されているか否かの検出と、イヤホンキャップ１６の開閉状態の検出に兼用される。また、イヤホン１００が接続されていない状態では、ステレオ検出信号Ｓ２及びスイッチ検出信号Ｓ３は、フローティング状態となっているため、当該フローティング状態を検出することにより、イヤホン１００の接続の有無を判断する。
【００２９】
また、図４に示すように、イヤホンキャップ１６が取り外されており、かつイヤホン１００が接続されていない状態においては、制御部４６は、信号検出線２０ａから得られるイヤホン検出信号を正論理状態（Ｈｉｇｈ）で検出し、また、ステレオ検出線２０ｂは絶縁状態になっているため、ステレオ検出信号Ｓ２又はスイッチ検出信号Ｓ３を検出できない。
【００３０】
また、図５に示すように、イヤホンキャップ１６が取り外されており、かつイヤホン１００が接続されている状態においては、制御部４６は、抵抗Ｒ１＞抵抗Ｒ３の関係から、信号検出線２０ａから得られるイヤホン検出信号を負論理状態（Ｌｏｗ）で検出し、また、ステレオ検出線２０ｂは電気的に接続されている状態になっているため、ステレオ検出信号Ｓ２又はスイッチ検出信号Ｓ３を検出することができる。
【００３１】
また、制御部４６は、信号検出線２０ａの論理状態が所定電位（ＧＮＤ）に対して電気的に接続されていない状態になったと判定したときに（図４又は図５の状態）、イヤホンインターフェース部３０を構成する一部であるステレオ検出線２０ｂが開放状態か否かを判定し、当該ステレオ検出線２０ｂが開放状態ではないと判定した場合には、イヤホンインターフェース部３０にイヤホン１００が接続されたと判定し（図５の状態）、当該ステレオ検出線２０ｂが開放状態であると判定した場合には、イヤホンインターフェース部３０にイヤホン１００が接続されておらず、かつイヤホンキャップ１６がイヤホンインターフェース部３０に取り付けられていない状態（図４の状態）であると判定する。
【００３２】
つぎに、図６に示すフローチャートを参照しながら、イヤホンキャップ１６の開閉状態に応じた防水警告表示方法について説明する。
【００３３】
ステップＳＴ１において、制御部４６は、イヤホンキャップ１６の状態を検出する。具体的には、制御部４６は、信号検出線２０ａの論理状態の変化を検出する。
【００３４】
ステップＳＴ２において、制御部４６は、ステップＳＴ１の工程により検出した信号検出線２０ａの論理状態が正論理状態（Ｈｉｇｈ）であるか負論理状態（Ｌｏｗ）であるかを判断する。論理状態が正論理状態（Ｈｉｇｈ）の場合には、ステップＳＴ３に進み、論理状態が負論理状態（Ｌｏｗ）の場合には、ステップＳＴ５に進む。
【００３５】
ステップＳＴ３において、制御部４６は、イヤホンキャップ１６が開状態（図４の状態）であると判断する。
【００３６】
ステップＳＴ４において、制御部４６は、防水機能が低下する旨をディスプレイ２１にて報知するように制御する。
【００３７】
ステップＳＴ５において、制御部４６は、ステレオ検出信号Ｓ２又はスイッチ検出信号Ｓ３を検出することができるか否かを判断する。ステレオ検出信号Ｓ２又はスイッチ検出信号Ｓ３を検出できた場合（Ｙｅｓ）には、ステップＳＴ６に進み、ステレオ検出信号Ｓ２又はスイッチ検出信号Ｓ３を検出できない場合（Ｎｏ）には、ステップＳＴ８に進む。
【００３８】
ステップＳＴ６において、制御部４６は、イヤホンインターフェース部３０にイヤホン１００が接続されていると判断する。
【００３９】
ステップＳＴ７において、制御部４６は、防水機能が低下する旨をディスプレイ２１にて報知するように制御する。なお、イヤホン１００をイヤホンインターフェース部３０に接続した状態において、防水性を担保することができる構成であれば、本工程による処理はスキップしても良い。
【００４０】
また、本発明では、イヤホンキャップ１６の開閉検出を信号検出線２０ａで兼用しているため、別途専用の信号線が不要となり、コスト的に低廉に実現することができ、かつ物理的なスペース効率も向上し、省スペース化を図ることができる。
【００４１】
また、本発明では、イヤホンキャップ１６の開閉検出に関し、閉状態及びイヤホン１００の接続状態を負論理状態（Ｌｏｗ）で行うこととしている。一般的にイヤホンキャップは、定常状態が閉状態、あるいはイヤホンの接続される状態となることが多く、イヤホンキャップの開閉検出に無効電流が消費されてしまう。本発明に係る構成では、定常状態を負論理状態にしているため、無効電流が流れることが無く、イヤホンキャップ１６の開閉検出を電気的に行ったとしても消費電流を最小限に抑えることができる。
【００４２】
ステップＳＴ８において、制御部４６は、イヤホンキャップ１６は取り付けられていると判断する。すなわち、本発明に係る携帯電話装置１では、イヤホンキャップ１６が取り付けられているということは、防水性を担保することができることを意味する。
【００４３】
＜キャップ１７の開閉状態に応じた防水警告表示方法＞
つぎに、本発明に係る携帯電話装置１によりキャップ１７の開閉状態に応じた防水警告表示方法について説明する。
【００４４】
また、図７は、キャップ１７がインターフェース部３１を覆っている状態を示す図であり、図８は、キャップ１７がインターフェース部３１から取り外されている状態を示す図であり、図９は、インターフェース部３１に外部インターフェース２００を介して外部機器２０１が接続されている状態を示す図である。なお、図７乃至図９においては、抵抗Ｒ１＞抵抗Ｒ２、抵抗Ｒ１＞抵抗Ｒ３となるように抵抗Ｒ１、抵抗Ｒ２、抵抗Ｒ３が配置されている。
【００４５】
また、図７に示すように、キャップ１７が取り付けられている状態においては、制御部４６は、抵抗Ｒ１＞抵抗Ｒ２の関係から、信号検出線２１ａから得られる外部インターフェース検出信号Ｓ１０を負論理状態（Ｌｏｗ）で検出し、また、信号出力線２１ｂと信号入力線２１ｃは絶縁状態になっているため、ＡＣＫ信号（送信信号（ＴＸＤ）Ｓ１１及び受信信号（ＲＸＤ）Ｓ１２により判断）を検出できない。なお、外部インターフェース検出信号Ｓ１０は、外部インターフェース２００が接続されているか否かの検出と、キャップ１７の開閉状態の検出に兼用される。
【００４６】
また、図８に示すように、キャップ１７が取り外されており、かつ外部インターフェース２００が接続されていない状態においては、制御部４６は、信号検出線２１ａから得られる信号を正論理状態（Ｈｉｇｈ）で検出し、また、信号出力線２１ｂと信号入力線２１ｃは絶縁状態になっているため、ＡＣＫ信号（送信信号（ＴＸＤ）Ｓ１１及び受信信号（ＲＸＤ）Ｓ１２により判断）を検出できない。
【００４７】
また、図９に示すように、キャップ１７が取り外されており、かつ外部インターフェース２００が接続されている状態においては、制御部４６は、抵抗Ｒ１＞抵抗Ｒ３の関係から、信号検出線２１ａから得られる信号を負論理状態（Ｌｏｗ）で検出し、また、信号出力線２１ｂと信号入力線２１ｃは電気的に接続されている状態になっているため、ＡＣＫ信号（送信信号（ＴＸＤ）Ｓ１１及び受信信号（ＲＸＤ）Ｓ１２により判断）を検出することができる。
【００４８】
また、制御部４６は、信号検出線２１ａの論理状態が所定電位（ＧＮＤ）に対して、電気的に接続されている状態から、電気的に接続されていない状態に状態が変化したと判定したときに（図８又は図９の状態）、インターフェース部３１を構成する一部である外部機器２０１に信号を送信する信号出力線２１ｂに所定の信号（送信信号（ＴＸＤ）Ｓ１１）を出力し、当該所定の信号に対する応答（信号入力線２１ｃにより入力される受信信号（ＲＸＤ）Ｓ１２）が検出されたときに、インターフェース部３１に外部機器２０１が接続されていることを判定し（図９の状態）、また、当該所定の信号（送信信号（ＴＸＤ）Ｓ１１）に対する応答（信号入力線２１ｃにより入力される受信信号（ＲＸＤ）Ｓ１２）が検出されないときに、インターフェース部３１に外部機器２０１が接続されておらず、かつキャップ１７がインターフェース部３１に取り付けられていない状態（図８の状態）であると判定する。
【００４９】
つぎに、図１０に示すフローチャートを参照しながら、キャップ１７の開閉状態に応じた防水警告表示方法について説明する。
【００５０】
ステップＳＴ１１において、制御部４６は、キャップ１７の状態を検出する。具体的には、制御部４６は、信号検出線２１ａの論理状態の変化を検出する。
【００５１】
ステップＳＴ１２において、制御部４６は、ステップＳＴ１の工程により検出した信号検出線２１ａの論理状態が正論理状態（Ｈｉｇｈ）であるか負論理状態（Ｌｏｗ）であるかを判断する。論理状態が正論理状態（Ｈｉｇｈ）の場合には、ステップＳＴ１３に進み、論理状態が負論理状態（Ｌｏｗ）の場合には、ステップＳＴ１５に進む。
【００５２】
ステップＳＴ１３において、制御部４６は、キャップ１７が開状態（図８の状態）であると判断する。
【００５３】
ステップＳＴ１４において、制御部４６は、防水機能が低下する旨をディスプレイ２１にて報知するように制御する。
【００５４】
ステップＳＴ１５において、制御部４６は、ＡＣＫ信号（送信信号（ＴＸＤ）Ｓ１１及び受信信号（ＲＸＤ）Ｓ１２により判断）を検出することができるか否かを判断する。制御部４６は、送信信号（ＴＸＤ）Ｓ１１と受信信号（ＲＸＤ）Ｓ１２による通信の確立が一定期間内にできるか否かにより、外部機器２０１が接続されているか否かを判断する。ＡＣＫ信号を検出できた場合（Ｙｅｓ）には、ステップＳＴ１６に進み、ＡＣＫ信号を検出できない場合（Ｎｏ）には、ステップＳＴ１８に進む。
【００５５】
ステップＳＴ１６において、制御部４６は、インターフェース部３１に外部機器２０１が接続されていると判断する。
【００５６】
ステップＳＴ１７において、制御部４６は、防水機能が低下する旨をディスプレイ２１にて報知するように制御する。なお、外部インターフェース２００をインターフェース部３１に接続した状態において、防水性を担保することができる構成であれば、本工程による処理はスキップしても良い。
【００５７】
ステップＳＴ１８において、制御部４６は、キャップ１７は取り付けられていると判断する。すなわち、本発明に係る携帯電話装置１では、キャップ１７が取り付けられているということは、防水性を担保することができることを意味する。
【００５８】
また、本発明では、キャップ１７の開閉検出を信号検出線２１ａで兼用しているため、別途専用の信号線が不要となり、コスト的に低廉に実現することができ、かつ物理的なスペース効率も向上し、省スペース化を図ることができる。
【００５９】
また、本発明では、キャップ１７の開閉検出に関し、閉状態及び外部インターフェース２００の接続状態を負論理状態（Ｌｏｗ）で行うこととしている。また、イヤホンキャップの場合と同様に、定常的には閉状態、あるいは外部インターフェースの接続される状態となることが多く、キャップの開閉検出に無効電流が消費されてしまう。本発明に係る構成では、定常状態を負論理状態にしているため、無効電流が流れることが無く、キャップ１７の開閉検出を電気的に行ったとしても消費電流を最小限に抑えることができる。
【００６０】
このようにして、本発明に係る携帯電話装置１によれば、簡易な構成により、イヤホンキャップ１６やキャップ１７の開閉状態を検出し、イヤホンキャップ１６やキャップ１７が開状態になっているときに防水機能の低下を促す報知をディスプレイ２１により行うので、防水機能の低下を回避することができる。なお、携帯電話装置１では、防水機能の低下を促す報知は、ディスプレイ２１でなくても良く、例えば、スピーカにより所定音を出力することのより防水機能の低下の旨を報知しても良い。更に、携帯電話装置１では、防水機能の低下を促す報知は、発光ダイオードの発光による報知や、バイブレータの振動よる報知等により行われても良い。
【００６１】
また、本発明に係る携帯電話装置１によれば、イヤホンキャップ１６やキャップ１７の開閉状態を論理状態が変更したときに検出する構成であるため、イヤホンキャップ１６やキャップ１７が取り付けられたままの状態においては電力消費されることがないという利点がある。
【００６２】
また、イヤホンインターフェース部３０やインターフェース部３１の開口部の周縁であってイヤホンキャップ１６やキャップ１７により被覆可能な位置に、所定電位（ＧＮＤ）に保持される端子３００ａ、３００ｂが取り付けられており、イヤホンキャップ１６とキャップ１７の内側には、筐体への取り付け部を介して信号検出線２０ａ、２１ａに接続される導体３０１が配されている構成であっても良い（図１１を参照）。このような構成の場合には、当該導体３０１は、イヤホンキャップ１６とキャップ１７が取り付けられたときに端子３００ａ、３００ｂに当接し、端子３００ａと端子３００ｂとが電気的に導通する構成であっても良い。このような構成の場合には、導体３０１は、イヤホンキャップ開閉スイッチ４１やキャップ開閉スイッチ４２の一部を構成する。
【００６３】
なお、本実施例においては、イヤホンが接続されるイヤホンインターフェース部３０を覆うイヤホンキャップ１６と、外部機器と通信を行うためのインターフェース部３１を覆うキャップ１７の開閉状態の検出について説明したが、特に本発明はこれに限られず、例えば、バッテリの蓋の開閉状態の検出を行い、開状態の場合に防水機能が低下する旨をディスプレイ２１にて報知する構成であっても良いし、また、着脱可能なメモリカードを覆うキャップの開閉状態の検出を行い、開状態の場合に防水機能が低下する旨をディスプレイ２１にて報知する構成であっても良い。
【００６４】
このような構成の場合には、メモリカードの着脱により論理状態が変化するメモリカードの有無を検出する信号線に対して、イヤホンインターフェース部３０における信号検出線２０ａやインターフェース部３１における信号検出線２１ａの場合と同様にメモリカードを覆うキャップの開閉を検出するスイッチを接続するように構成しておけば良い。
【図面の簡単な説明】
【００６５】
【図１】本発明に係る携帯電話装置の外観を示す斜視図である。
【図２】本発明に係る携帯電話装置の機能を示すブロック図である。
【図３】イヤホンキャップがイヤホンインターフェース部を覆っている状態を示す模式図である。
【図４】イヤホンキャップがイヤホンインターフェース部から取り外されている状態を示す模式図である。
【図５】イヤホンインターフェース部にイヤホンが接続されている状態を示す模式図である。
【図６】イヤホンキャップの開閉状態に応じた防水警告表示方法についての説明に供するフローチャートである。
【図７】キャップがインターフェース部を覆っている状態を示す模式図である。
【図８】キャップがインターフェース部から取り外されている状態を示す模式図である。
【図９】インターフェース部に外部インターフェースを介して外部機器が接続されている状態を示す模式図である。
【図１０】キャップの開閉状態に応じた防水警告表示方法について説明に供するフローチャートである。
【図１１】イヤホンインターフェース部やインターフェース部の開口部の周縁を示す模式図である。
【符号の説明】
【００６６】
１１  操作キー群
１６  イヤホンキャップ
１７  キャップ
２１  ディスプレイ（報知部）
３０  イヤホンインターフェース部
３１  インターフェース部
４１  イヤホンキャップ開閉スイッチ
４２  キャップ開閉スイッチ
４４  通信部
４５  記憶部
４６  制御部
【図１】
0004907512.tif 000002
【図２】
0004907512.tif 000003
【図３】
0004907512.tif 000004
【図４】
0004907512.tif 000005
【図５】
0004907512.tif 000006
【図６】
0004907512.tif 000007
【図７】
0004907512.tif 000008
【図８】
0004907512.tif 000009
【図９】
0004907512.tif 000010
【図１０】
0004907512.tif 000011
【図１１】
0004907512.tif 000012